(57)【要約】【課題】緩みが発生せず、外部衝撃によって抜け出しを防止できる外付け式電気差し込み締結構造を提供すること。【解決手段】ハウジング内部に締結金具を装入し、該締結金具により外付け式電気差し込みの延伸部を固定する。該ハウジングはねじ部材により電子装置の表面に固定する。【選択図】図３
0003126132.tif 000002
【実用新案登録請求の範囲】
【請求項１】
ハウジングと締結金具とねじ部材とを有し、
前記ハウジングはその一端にフランジを有し、その他端に当接部材を形成すると共に、その内部に締結金具を収容可能な取付空間を形成し、前記フランジにねじ部材を挿通可能な穴を形成し、
前記締結金具は外付け電気差し込みの延伸部を収容する貫通孔を有し、
貫通孔に外付け電気差し込みの延伸部を収容した締結金具を、前記ハウジングの取付空間内に収容して取り付け、
電子装置のコンセント孔に差し込んだ外付け電気差し込みに緩みが発生せず、外部衝撃による外付け電気差し込みの脱け出しを規制できるように、ハウジングのフランジに通したねじ部材を電子装置の表面にねじ止めしたことを特徴とする、
外付け式電気差し込み締結構造。
【請求項２】
前記ねじ部材がらせん棒であることを特徴とする、請求項１記載の外付け式電気差し込み締結構造。
【請求項３】
締結金具の表面に弾性締結装置を突出して設け、締結金具をハウジングの取付空間に取り付けた後、弾性締結装置の係止めにより、締結金具がハウジングより脱け出す事を防止することを特徴とする、請求項１記載の外付け式電気差し込み締結構造。
【考案の詳細な説明】
【技術分野】
【０００１】
本考案は一種の外付け式電気差し込み締結構造に関し、特にハウジングと締結金具とを固定することにより、外付け式電気差し込みを電子装置に挿入したときに、外部衝撃による抜け出しを防止できる、外付け式電気差し込み締結構造に関するものである。
【背景技術】
【０００２】
図１に一つの電子装置１００を示す。
該電子装置１００はその外部に電源コンセント孔１０１を有する。該電源コンセント孔１０１に電源コンセント１０２を差し込んで接続する。
【考案の開示】
【考案が解決しようとする課題】
【０００３】
しかしながら、電源コンセント１０２が電子装置１００の表面に露出しているため、衝撃により電源コンセント１０２が脱け出す恐れがある。
また、安定した支持装置がないため、緩んで電気抵抗に影響を与える。
【課題を解決するための手段】
【０００４】
本考案は前記した公知技術の欠点を鑑みて、改良を図るものである。
【０００５】
この外付け式電気差し込みを電子装置に締結する構造にハウジングを設け、該ハウジング内部に締結金具を装入し、該締結金具により外付け式電気差し込みの電気回路を固定する。
該ハウジングはねじ部材により電子装置表面に固定する。締結金具の締結により、異なる規格の外付け式電気差し込みを電子装置に組み込まれたソケットに取り付けることができる。緩みがないほか、電気抵抗の変化も発生しない。
また、ハウジングによって保護されるため、外部衝撃により脱けだす心配がない。一定の美観性を維持できる、一種の外付け式電気差し込み締結構造を提供することを本考案の主な目的とする。
【０００６】
ハウジングに突き出す当接部材を設け、該当接部材を電子装置のソケット孔に取り付けることにより、ハウジングを電子装置へより安定に固定することができる、一種の外付け式電気差し込み締結構造を提供することを本考案のもう一つの目的とする。
【０００７】
すなわち、本願の第１考案は、ハウジングと締結金具とねじ部材とを有し、前記ハウジングはその一端にフランジを有し、その他端に当接部材を形成すると共に、その内部に締結金具を収容可能な取付空間を形成し、前記フランジにねじ部材を挿通可能な穴を形成し、前記締結金具は外付け電気差し込みの延伸部を収容する貫通孔を有し、貫通孔に外付け電気差し込みの延伸部を収容した締結金具を、前記ハウジングの取付空間内に収容して取り付け、電子装置のコンセント孔に差し込んだ外付け電気差し込みに緩みが発生せず、外部衝撃による外付け電気差し込みの脱け出しを規制できるように、ハウジングのフランジに通したねじ部材を電子装置の表面にねじ止めしたことを特徴とする、外付け式電気差し込み締結構造を提供する。
本願の第２考案は、前記ねじ部材がらせん棒であることを特徴とする、前記第１考案の外付け式電気差し込み締結構造を提供する。
本願の第３考案は、締結金具の表面に弾性締結装置を突出して設け、締結金具をハウジングの取付空間に取り付けた後、弾性締結装置の係止めにより、締結金具がハウジングより脱け出す事を防止することを特徴とする、前記第１考案の外付け式電気差し込み締結構造を提供する。
【考案の効果】
【０００８】
締結金具の締結により、緩みが発生しないことのほかに、ハウジングによって保護されるため、外部衝撃により外付け電気差し込みが脱け出す心配がない。
【考案を実施するための最良の形態】
【０００９】
以降に図面を参照しながら本考案に係る好適な実施例について説明する。
【実施例】
【００１０】
図４に本考案に係る外付け式電気差し込み締結構造を示す。
外付け式電気差し込み締結構造はハウジング１０と締結金具３０とを有する。
【００１１】
本実施例においてハウジング１０は金属製のハウジングである。
該ハウジング１０はその一端に上方に折れ曲がるフランジ１１を有し、該フランジ１１にねじ部材１２を挿入するための貫通孔１１１を設ける。
【００１２】
本実施例においてねじ部材１２はらせん棒である。
該ねじ部材１２を貫通孔１１１に通して電子装置２０の表面に締め付けることにより、該ハウジング１０を電子装置２０の表面に締結する(図２)。
【００１３】
該ハウジング１０の他端には外部に突き出るように当接部材１３を設ける。
該当接部材１３は電子装置２０の挿入孔２１に係止めることにより、ハウジング１０を電子装置２０に安定的に締結する(図３)。
【００１４】
該ハウジング１０の内部には一方を開放した取付空間１４を形成している。
締結金具３０はハウジング１０の取付空間１４の形状に合せて形成する。
本実施例において締結金具３０は塊体である場合について説明する。
該締結金具３０は外付け電気差し込み４０より延ばした延伸部４１を挟み込んで通すための貫通孔３１を有する。
【００１５】
該ハウジング１０は貫通孔３１と向かい合わせた場所に開口部１５を設ける。
延伸部４１はハウジング１０を通してハウジング１０の表面に露出する(図３)。
【００１６】
一方、該締結金具３０の表面には弾性締結装置３２を突き出して設ける。
締結金具３０をハウジング１０の取付空間１４に差し込むことで、弾性締結装置３２の圧迫により、締結金具３０はハウジング１０からの脱け出しが防止される(図３)。
【００１７】
本考案の上記した構成要素の組み立て方法について説明する。
図２、図３に示すとおり、外付け電気差し込み４０(本実施例においては電気コンセント)の延伸部４１を締結金具３０に挟み込む。
【００１８】
外付け電気差し込み４０を電子装置２０に組み込んだコンセント孔２２に挿入する。
ハウジング１０の当接部材１３を電子装置２０の挿入孔２１中に挿入した後、ねじ部材１２を締め付けて、ハウジング１０を電子装置２０の表面に固定する。
【００１９】
このように、異なる規格の外付け電気差し込み４０を電子装置２０にコンセント孔２２に差し込んだ後は、締結金具３０の締結により緩みを発生しない。
また、ハウジング１０の保護作用により、外部衝撃により外付け電気差し込み４０がコンセント孔２２から脱け出すことを確実に防止できる。
【００２０】
また、取り外すときは、ねじ部材１２を弛めることで外付け電気差し込み４０を電子装置２０から取り外せるので、使用上極めて便利である。
【図面の簡単な説明】
【００２１】
【図１】先行技術の概略図である。
【図２】本考案に係る実施例の説明図で、電子装置に適用した外付け式電気差し込み締結構造の立体概略図である。
【図３】本考案の外付け式電気差し込み締結構造の立体断面図である。
【図４】本考案の外付け式電気差し込み締結構造の立体分解概略図である。
【符号の説明】
【００２２】
１０・・・・・・ハウジング
１１・・・・・・フランジ
１１１・・・・・貫通孔
１２・・・・・・ねじ部材
１３・・・・・・当接部材
１４・・・・・・取付空間
１５・・・・・・開口部
２０・・・・・・電子装置
２１・・・・・・挿入孔
２２・・・・・・コンセント孔
３０・・・・・・締結金具
３１・・・・・・貫通孔
３２・・・・・・弾性締結装置
４０・・・・・・外付け式電気差し込み
４１・・・・・・延伸部
【図１】
0003126132.tif 000003
【図２】
0003126132.tif 000004
【図３】
0003126132.tif 000005
【図４】
0003126132.tif 000006